(57)【要約】      （修正有）【課題】ブルーライトを低減させる器具を利用者が個別に用意する必要のないエレベーターのかごの照明装置の調光装置を提供する。【解決手段】調光装置９は、吸光部材１０を備える。吸光部材１０は、エレベーターのかご１の照明装置２の光源４の発光面７からかご１の内側で照明装置２より下方のかご室内空間３に至るまでの光路１２に固定されて配置される。光源４から発せられる光のうちブルーライトの範囲の波長の光に対する吸光部材１０の透過率は、光源４から発せられる光のうちブルーライトの範囲の波長より長い波長の可視光に対する吸光部材１０の透過率より低い。【選択図】図２
2020132277.tif 000002
【特許請求の範囲】
【請求項１】
エレベーターのかごの照明装置の光源の発光面から前記かごの内側で前記照明装置より下方のかご室内空間に至るまでの光路に固定されて配置され、前記光源から発せられる光のうちブルーライトの範囲の波長の光に対する透過率が前記光源から発せられる光のうちブルーライトの範囲の波長より長い波長の可視光に対する透過率より低い吸光部材
を備えるエレベーターのかごの照明装置の調光装置。
【請求項２】
前記光源がＬＥＤ光源である場合に、前記ＬＥＤ光源から発せられる光のうちブルーライトの範囲の波長の光に対する前記吸光部材の透過率は、前記ＬＥＤ光源から発せられる光のうちブルーライトの範囲の波長より長い波長の可視光に対する前記吸光部材の透過率より低い
請求項１に記載のエレベーターのかごの照明装置の調光装置。
【請求項３】
前記吸光部材を前記照明装置に取り付ける取付け部
を備える請求項１または請求項２に記載のエレベーターのかごの照明装置の調光装置。
【請求項４】
前記取付け部は、磁力により前記吸光部材を前記照明装置に取り付ける
請求項３に記載のエレベーターのかごの照明装置の調光装置。
【請求項５】
前記吸光部材は、前記発光面に密着する
請求項１または請求項２に記載のエレベーターのかごの照明装置の調光装置。
【請求項６】
前記吸光部材は、熱収縮フィルムにより形成される
請求項５に記載のエレベーターのかごの照明装置の調光装置。
【発明の詳細な説明】
【技術分野】
【０００１】
本発明は、エレベーターのかごの照明装置の調光装置に関する。
【背景技術】
【０００２】
特許文献１にエレベーターの照明装置の例が記載されている。照明装置は、光線拡散部材を備える。光線拡散部材は、光源を覆う。光線拡散部材は、光線を透過させる材料で形成される。
【先行技術文献】
【特許文献】
【０００３】
【特許文献１】特開平４−７５９９１号公報
【発明の概要】
【発明が解決しようとする課題】
【０００４】
しかしながら、特許文献１に記載の照明装置において、光線拡散部材は、波長によらずに光線を透過させる。このため、光源の性質によっては、かご室内空間における光のスペクトルについてブルーライトの割合が高くなる場合がある。この場合に、ブルーライトを好まない利用者は、ブルーライトを低減させる器具を個別に用意する必要がある。
【０００５】
本発明は、このような課題を解決するためになされた。本発明の目的は、ブルーライトを低減させる器具を利用者が個別に用意する必要のないエレベーターのかごの照明装置の調光装置を提供することである。
【課題を解決するための手段】
【０００６】
本発明に係るエレベーターのかごの照明装置の調光装置は、エレベーターのかごの照明装置の光源の発光面から前記かごの内側で前記照明装置より下方のかご室内空間に至るまでの光路に固定されて配置され、前記光源から発せられる光のうちブルーライトの範囲の波長の光に対する透過率が前記光源から発せられる光のうちブルーライトの範囲の波長より長い波長の可視光に対する透過率より低い吸光部材を備える。
【発明の効果】
【０００７】
本発明によれば、調光装置は、吸光部材を備える。吸光部材は、エレベーターのかごの照明装置の光源の発光面からかごの内側で照明装置より下方のかご室内空間に至るまでの光路に固定されて配置される。光源から発せられる光のうちブルーライトの範囲の波長の光に対する吸光部材の透過率は、光源から発せられる光のうちブルーライトの範囲の波長より長い波長の可視光に対する吸光部材の透過率より低い。これにより、利用者は、ブルーライトを低減させる器具を個別に用意する必要がなくなる。
【図面の簡単な説明】
【０００８】
【図１】実施の形態１に係るエレベーターのかごの内側の図である。
【図２】実施の形態１に係る照明装置の垂直断面図である。
【図３】実施の形態１の変形例に係る照明装置の垂直断面図である。
【図４】実施の形態２に係る照明装置の垂直断面図である。
【図５】実施の形態２の変形例に係る照明装置の垂直断面図である。
【図６】実施の形態３に係る照明装置の垂直断面図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係るエレベーターのかごの内側の図である。
【００１１】
エレベーターは、建築物に設けられる。建築物は、複数の階を備える。エレベーターにおいて、図示されない昇降路は複数の階を貫く。エレベーターは、かご１を備える。かご１は、昇降路の内部を鉛直方向に走行することで、複数の階の間で利用者を輸送する装置である。かご１は、例えば直方体状の形状である。かご１は、照明装置２を備える。照明装置２は、例えばかご１の天井に設けられる。照明装置２は、かご室内空間３を照らす装置である。かご室内空間３は、かご１の内側で照明装置２より下方の空間である。かご室内空間３は、利用者が乗車する空間である。
【００１２】
図２は、実施の形態１に係る照明装置の垂直断面図である。
【００１３】
照明装置２は、光源４と、カバー５と、照明板６と、を備える。
【００１４】
光源４は、光を発する装置である。光源４は、発光面７を有する。発光面７は、光源４の表面である。この例において、光源４は、ＬＥＤ（Ｌｉｇｈｔ  Ｅｍｉｔｔｉｎｇ  Ｄｉｏｄｅ）光源である。ＬＥＤ光源は、複数のＬＥＤ素子８を備える。発光面７は、複数のＬＥＤ素子８の各々の表面である。光源４は、かご１の天井に設けられる。発光面７は、下方に向けられる。この例において、ＬＥＤ素子８は、蛍光体を含有する樹脂に封入されたＬＥＤチップによって形成される。ここで、蛍光体は、例えば黄色の蛍光体である。ＬＥＤチップは、例えば青色ＬＥＤである。ＬＥＤ素子８は、青色ＬＥＤの発光と黄色の蛍光体の蛍光とによって、照明用の擬似白色光を発する。
【００１５】
カバー５は、光源４を覆う部材である。カバー５は、例えば下方から光源４を覆う。カバー５は、可視光を透過させる材料で形成される。カバー５は、透過させる可視光を拡散させてもよい。
【００１６】
照明板６は、かご室内空間３に露出する部材である。照明板６は、例えばカバー５の下方に設けられる。照明板６のかご室内空間３に露出する部分の形状は、例えば矩形状である。照明板６は、可視光を透過させる材料で形成される。照明板６は、透過させる可視光を拡散させてもよい。
【００１７】
ここで、例えばエレベーターの利用者または管理者などが、かご室内空間３における光のうちのブルーライトの割合の低減を望むことがある。このとき、調光装置９が照明装置２に取り付けられる。ここで、ブルーライトの波長の範囲は、３８０ｎｍから５００ｎｍまでの波長の範囲である。
【００１８】
調光装置９は、吸光部材１０と、押さえ板１１と、を備える。
【００１９】
吸光部材１０は、例えば樹脂からなるシートである。光源４から発せられる光のうちブルーライトの範囲の波長の光に対する吸光部材１０の透過率は、光源４から発せられる光のうちブルーライトの範囲の波長より長い波長の可視光に吸光部材１０の透過率より低い。ここで、透過率は、吸光部材１０に対する入射光と透過光との強度比である。吸光部材１０は、照明板６の上面に固定されて設けられる。吸光部材１０の形状は、照明板６のかご室内空間３に露出する部分の形状に合わせられる。吸光部材１０の形状は、例えば矩形状である。
【００２０】
吸光部材１０は、例えばブルーライトを選択的に吸収する材料で形成される。吸光部材１０は、例えばブルーライトを選択的に反射させる材料で形成されてもよい。吸光部材１０は、例えばブルーライトを選択的に吸収する物質を分散させた樹脂であってもよい。吸光部材１０は、例えばブルーライトを選択的に吸収する物質をコーティングなどによって塗布した樹脂であってもよい。吸光部材１０は、例えばブルーライトを選択的に反射させる物質をコーティングなどによって塗布した樹脂であってもよい。
【００２１】
押さえ板１１は、吸光部材１０を押さえる板である。押さえ板１１は、取付け部の例である。押さえ板１１は、吸光部材１０を上方から覆う。押さえ板１１の形状は、例えば吸光部材１０より大きい矩形状である。押さえ板１１は、可視光を透過させる材料で形成される。押さえ板１１は、透過させる可視光を拡散させてもよい。押さえ板１１は、例えば照明板６の外周部に取り付けられる。押さえ板１１は、例えば接着、ネジ止め、またはリベット止めなどによって照明板６に取り付けられる。
【００２２】
続いて、調光装置９の機能を説明する。
【００２３】
光源４から発せられた光は、発光面７からかご室内空間３に至るまで伝播する。光源４から発せられた光の光路１２は、発光面７から、例えばカバー５、押さえ板１１、吸光部材１０、および照明板６の順に通過して、かご室内空間３に至る。すなわち、吸光部材１０は、光路１２に設けられている。
【００２４】
吸光部材１０は、透過率の波長依存性によって、透過させる光のうちのブルーライトの割合を低減させる。吸光部材１０を透過した光は、かご室内空間３に伝播する。これにより、かご室内空間３における光のブルーライトの割合は、光源４が発する光のブルーライトの割合より低くなる。
【００２５】
なお、押さえ板１１は、例えば吸光部材１０の四辺を押さえる枠または板であってもよい。このとき、押さえ板１１は不透明な材料で形成されていてもよい。また、調光装置９は、押さえ板１１を備えなくてもよい。吸光部材１０は、例えば接着、ネジ止め、またはリベット止めなどによって照明板６に直接的に取り付けられてもよい。
【００２６】
また、ＬＥＤ素子８の蛍光体は、例えば赤色および緑色などの複数の色の蛍光体であってもよい。ＬＥＤ素子８は、ＬＥＤチップの表面に蛍光体を塗布したものであってもよい。ＬＥＤ素子８は、例えば赤色、緑色、および青色などの複数の色のＬＥＤチップによって形成されていてもよい。
【００２７】
次に、図３を用いて、調光装置９の他の例を説明する。
図３は、実施の形態１の変形例に係る照明装置の垂直断面図である。
【００２８】
照明装置２は、光源４と、照明板６と、を備える。
【００２９】
調光装置９は、吸光部材１０を備える。
【００３０】
吸光部材１０は、例えば下方から光源４を覆う。この例において、吸光部材１０は、例えば樹脂により形成されるカバー５である。吸光部材１０は、例えば照明装置２のカバー５に代えて設けられる。
【００３１】
続いて、この例における調光装置９の機能を説明する。
【００３２】
光源４から発せられた光は、発光面７からかご室内空間３に至るまで伝播する。光源４から発せられた光の光路１２は、発光面７から、例えば吸光部材１０、および照明板６の順に通過して、かご室内空間３に至る。
【００３３】
吸光部材１０は、透過率の波長依存性によって、透過させる光のうちのブルーライトの割合を低減させる。吸光部材１０を透過した光は、かご室内空間３に伝播する。これにより、かご室内空間３における光のブルーライトの割合は、光源４が発する光のブルーライトの割合より低くなる。
【００３４】
なお、吸光部材１０は、照明装置２の照明板６に代えて設けられる板状の部材であってもよい。
【００３５】
以上に説明したように、実施の形態１に係る調光装置９は、吸光部材１０を備える。吸光部材１０は、エレベーターのかご１の照明装置２の光源４の発光面７からかご室内空間３に至るまでの光路１２に固定されて配置される。かご室内空間３は、かご１の内側で照明装置２より下方の空間である。光源４から発せられる光のうちブルーライトの範囲の波長の光に対する吸光部材１０の透過率は、光源４から発せられる光のうちブルーライトの範囲の波長より長い波長の可視光に対する吸光部材１０の透過率より低い。
【００３６】
光源４から発せられた光は、吸光部材１０を通過してかご室内空間３に至る。吸光部材１０は、透過率の波長依存性によって、透過させる光のうちのブルーライトの割合を低減させる。このため、かご室内空間３におけるブルーライトの割合は、光源４が発する光のブルーライトの割合より低くなる。これにより、利用者は、ブルーライトを低減させる器具を個別に用意する必要がなくなる。また、かご室内空間３における紫外線の割合も低減される。このため、調光装置９は、紫外線によって誘引される虫のかご室内空間３への侵入を抑制できる。
【００３７】
また、光源４がＬＥＤ光源である場合に、ＬＥＤ光源から発せられる光のうちブルーライトの範囲の波長の光に対する吸光部材１０の透過率は、ＬＥＤ光源から発せられる光のうちブルーライトの範囲の波長より長い波長の可視光に対する吸光部材１０の透過率より低い。
【００３８】
一般に照明用のＬＥＤ光源は、可視光のうちの短波長領域の光を発するＬＥＤ素子を必要とする。可視光のうちの短波長領域は、ブルーライトの波長の範囲に重なる。このため、照明用のＬＥＤ光源から発せられる光は、ブルーライトの成分を多く含む。また、蛍光体の蛍光によって擬似白色光を発するＬＥＤ光源は、蛍光体を励起する短波長の光を発するＬＥＤ素子の他に異なる波長の光を発するＬＥＤ素子を備えない場合がある。当該ＬＥＤ光源において、ＬＥＤ素子の発光の制御によってＬＥＤ光源のスペクトルの制御をすることは困難である。このようなＬＥＤ光源を備える照明装置２についても、調光装置９は、かご室内空間３におけるブルーライトの割合を効果的に低減させる。
【００３９】
また、調光装置９は、取付け部を備える。取付け部は、吸光部材１０を照明装置２に取り付ける。
【００４０】
これによって、吸光部材１０は、より確実に照明装置２に取り付けられる。また、吸光部材１０は、取付け部によって容易に照明装置２に取り付けられる。これにより、調光装置９は、既設の照明装置２に対しても容易に適用される。
【００４１】
実施の形態２．
実施の形態２では、実施の形態１で開示された例と相違する点について詳しく説明する。実施の形態２で説明しない特徴については、実施の形態１で開示された例のいずれの特徴が採用されてもよい。
【００４２】
図４は、実施の形態２に係る照明装置２の垂直断面図である。
【００４３】
この例において、照明装置２は、間接照明の装置である。照明装置２は、支持部１３と、光源４と、を備える。
【００４４】
支持部１３は、かご１の天井に設けられる。この例において、支持部１３は、支持板１４を備える。支持板１４は、かご１の天井から吊り下げられる板状部材である。支持板１４の形状は、例えば矩形状である。支持板１４の下面は、かご室内空間３に向く。支持板１４は、不透明な材料により形成される。
【００４５】
光源４は、支持部１３に支持される。光源４は、支持板１４の上面に設けられる。この例において、光源４は、ＬＥＤ光源である。ＬＥＤ光源は、複数のＬＥＤ素子８を備える。発光面７は、複数のＬＥＤ素子８の各々の表面である。発光面７は、上方に向けられる。
【００４６】
調光装置９は、例えば４枚の吸光部材１０を備える。吸光部材１０は、例えば樹脂からなる板状部材である。吸光部材１０の形状は、例えば台形状である。吸光部材１０の下端は、支持板１４の一辺に沿って設けられる。吸光部材１０は、支持板１４の内側に向かって傾けられる。吸光部材１０の上端は、天井に固定される。調光装置９は、４枚の吸光部材１０によって四方から光源４を囲う。
【００４７】
続いて、この例における調光装置９の機能を説明する。
【００４８】
光源４から発せられた光は、発光面７から天井によって反射された後に、かご室内空間３に至るまで伝播する。光源４から発せられた光の光路１２は、発光面７から吸光部材１０を通過して、かご室内空間３に至る。
【００４９】
吸光部材１０は、透過率の波長依存性によって、透過させる光のうちのブルーライトの割合を低減させる。吸光部材１０を透過した光は、かご室内空間３に伝播する。これにより、かご室内空間３における光のブルーライトの割合は、光源４が発する光のブルーライトの割合より低くなる。
【００５０】
次に、図５を用いて、調光装置９の他の例を説明する。
図５は、実施の形態２の変形例に係る照明装置の垂直断面図である。
【００５１】
この例において、かご１の側面は、例えば鉄などの強磁性体を含む材料で形成される。
【００５２】
この例において、照明装置２は、間接照明の装置である。照明装置２は、支持部１３と、光源４と、を備える。
【００５３】
支持部１３は、かご１の壁面の上部に設けられる。支持部１３は、かご１の四方の側面に設けられる。支持部１３の下面は、かご室内空間３に向く。支持部１３は、かご１の水平方向の内側に遮光板１５を備える。遮光板１５は、支持部１３の下面から上方に向かって立ち上がる板状部材である。遮光板１５は、例えば鉄などの強磁性体を含む材料で形成される。
【００５４】
光源４は、支持部１３に支持される。光源４は、遮光板１５よりかご１の水平方向の外側に設けられる。この例において、光源４は、管状のＬＥＤ光源である。ＬＥＤ光源は、例えば可視光を透過させる管の内部に複数のＬＥＤ素子８を備える。発光面７は、可視光を透過させる管の側面である。
【００５５】
調光装置９は、吸光部材１０と、磁石１６と、を備える。
【００５６】
吸光部材１０は、例えば樹脂からなる板状部材である。吸光部材１０は、かご１の側面から支持部１３の遮光板１５にわたって設けられる。吸光部材１０は、光源４を上方から覆う。
【００５７】
磁石１６は、吸光部材１０の端部に設けられる。磁石１６は、磁力によってかご１の側面および支持部１３の遮光板１５に吸着する。磁石１６は、取付け部の例である。
【００５８】
続いて、この例における調光装置９の機能を説明する。
【００５９】
遮光板１５は、光源４が発する直接光をかご室内空間３から遮蔽する。光源４から発せられた光は、発光面７から天井または遮光板１５などによって反射された後に、かご室内空間３に至るまで伝播する。光源４から発せられた光の光路１２は、発光面７から吸光部材１０を通過して、かご室内空間３に至る。
【００６０】
吸光部材１０は、透過率の波長依存性によって、透過させる光のうちのブルーライトの割合を低減させる。吸光部材１０を透過した光は、かご室内空間３に伝播する。これにより、かご室内空間３における光のブルーライトの割合は、光源４が発する光のブルーライトの割合より低くなる。
【００６１】
以上に説明したように、実施の形態２に係る調光装置９の取付け部は、磁力により吸光部材１０を照明装置２に取り付ける。
【００６２】
これにより、調光装置９の照明装置２への適用は、より容易になる。
【００６３】
実施の形態３．
実施の形態３では、実施の形態１または実施の形態２で開示された例と相違する点について詳しく説明する。実施の形態３で説明しない特徴については、実施の形態１または実施の形態２で開示された例のいずれの特徴が採用されてもよい。
【００６４】
図６は、実施の形態３に係る照明装置２の垂直断面図である。
【００６５】
この例において、照明装置２は、間接照明の装置である。照明装置２は、支持部１３と、光源４と、を備える。
【００６６】
支持部１３は、かご１の壁面の上部に設けられる。支持部１３は、かご１の四方の側面に設けられる。支持部１３の下面は、かご室内空間３に向く。支持部１３は、かご１の水平方向の内側に遮光板１５を備える。遮光板１５は、支持部１３の下面から上方に向かって立ち上がる板状部材である。
【００６７】
光源４は、支持部１３に支持される。光源４は、遮光板１５よりかご１の水平方向の外側に設けられる。この例において、光源４は、管状のＬＥＤ光源である。ＬＥＤ光源は、例えば可視光を透過させる管の内部に複数のＬＥＤ素子８を備える。発光面７は、可視光を透過させる管の側面である。
【００６８】
調光装置９は、吸光部材１０を備える。
【００６９】
吸光部材１０は、例えば樹脂からなる熱収縮フィルムである。吸光部材１０は、光源４の発光面７に密着して設けられる。吸光部材１０は、例えば光源４に被せられた後に、加熱によって収縮することで光源４に密着させられる。
【００７０】
続いて、この例における調光装置９の機能を説明する。
【００７１】
遮光板１５は、光源４が発する直接光をかご室内空間３から遮蔽する。光源４から発せられた光は、発光面７から天井または遮光板１５などによって反射された後に、かご室内空間３に至るまで伝播する。光源４から発せられた光の光路１２は、発光面７から吸光部材１０を通過して、かご室内空間３に至る。
【００７２】
吸光部材１０は、透過率の波長依存性によって、透過させる光のうちのブルーライトの割合を低減させる。吸光部材１０を透過した光は、かご室内空間３に伝播する。これにより、かご室内空間３における光のブルーライトの割合は、光源４が発する光のブルーライトの割合より低くなる。
【００７３】
以上に説明したように、実施の形態３に係る調光装置９の吸光部材１０は、発光面７に密着する。
【００７４】
これにより、調光装置９は、吸光部材１０を支持する部材を別途必要としない。このため、調光装置９がコンパクトになる。これにより、かご１の重量の増加が抑えられる。また、ブルーライトのかご室内空間３への漏れが低減される。特に光源４がＬＥＤ光源である場合に、光源４の発光面７からの発熱量は小さい。このため、発光面７への密着による吸光部材１０の劣化は起こりにくくなる。
【００７５】
また、吸光部材１０は、熱収縮フィルムにより形成される。
【００７６】
これにより、吸光部材１０の発光面７への装着が容易になる。特に、既存の照明装置２への調光装置９の適用が容易になる。
【符号の説明】
【００７７】
１  かご、  ２  照明装置、  ３  かご室内空間、  ４  光源、  ５  カバー、  ６  照明板、  ７  発光面、  ８  ＬＥＤ素子、  ９  調光装置、  １０  吸光部材、  １１  押さえ板、  １２  光路、  １３  支持部、  １４  支持板、  １５  遮光板、  １６  磁石
【図１】
2020132277.tif 000003
【図２】
2020132277.tif 000004
【図３】
2020132277.tif 000005
【図４】
2020132277.tif 000006
【図５】
2020132277.tif 000007
【図６】
2020132277.tif 000008